(57)【要約】【課題】ラックにユニットを取り付ける際の作業者の負担を低減できる取付補助装置を提供する。【解決手段】取付補助装置１０は、ラックに収容され、ラックへのユニット９の取り付けを補助する。取付補助装置１０は、取付補助装置１０に載置されるべきユニット９の少なくとも前方側を昇降させるリフト機構４０を備える。リフト機構４０は、取付補助装置１０に載置されるべきユニット９の重心Ｇよりも前方に配置され、ユニット９の下面に当接した状態で上下動する第１リフトローラ４５ａおよび第２リフトローラ４６ａを含む。【選択図】図６（ｄ）
2016174127.tif 000002
【特許請求の範囲】
【請求項１】
ラックへのユニットの取り付けを補助する取付補助装置であって、
当該取付補助装置は、ユニットを前記ラックの取り付け位置に一時的に保持するために前記ラックに仮留めされ、
当該取付補助装置に載置されたユニットの少なくとも前方側を昇降させるリフト機構を備えることを特徴とする取付補助装置。
【請求項２】
前記リフト機構は、当該取付補助装置に載置されるべきユニットの重心よりも前方に配置され、ユニットの下面に当接した状態で上下動するリフト部を含むことを特徴とする請求項１に記載の取付補助装置。
【請求項３】
前記リフト部は、左右に延びる軸周りに回転可能なローラであることを特徴とする請求項２に記載の取付補助装置。
【請求項４】
前記リフト機構は、操作部をさらに含み、
前記リフト部は、左右に離間して配置される第１リフト部および第２リフト部を含み、
前記第１リフト部および前記第２リフト部は、前記操作部にそれぞれ連結され、前記操作部に対する操作量に応じて上下動することを特徴とする請求項２または３に記載の取付補助装置。
【請求項５】
当該取付補助装置は、スライド移動によって前記ラックから引き出せるよう構成されていることを特徴とする請求項１から４のいずれかに記載の取付補助装置。
【発明の詳細な説明】
【技術分野】
【０００１】
本発明は、ラックへのユニットの取り付けを補助する取付補助装置に関する。
【背景技術】
【０００２】
電子機器のユニットを収容するラックが知られている。ラックは左右に間隔を空けて設けられた支柱を有し、ユニットはこの支柱にネジ留めされる（例えば特許文献１参照）。
【先行技術文献】
【特許文献】
【０００３】
【特許文献１】特開２０１２−２３１０８４号公報
【発明の概要】
【発明が解決しようとする課題】
【０００４】
重いユニットをラックに取り付けるひとつの手法として、あらかじめ支柱に棚を取付けておき、この棚にユニットを載せた状態でユニットを支柱に固定する。しかしながら、この手法では、ユニットの挿通穴と支柱のネジ穴が合わない場合がある。この場合は、作業者のひとりがユニットを持ち上げ、その状態で他の作業者がユニットを支柱にネジ留めする。これは作業者にとって負担となる。
【０００５】
本発明はこうした状況に鑑みてなされたものであり、その目的は、ラックにユニットを取り付ける際の作業者の負担を低減できる取付補助装置の提供にある。
【課題を解決するための手段】
【０００６】
上記課題を解決するために、本発明のある態様の取付補助装置は、ラックへのユニットの取り付けを補助する取付補助装置であって、当該取付補助装置は、ユニットをラックの取り付け位置に一時的に保持するためにラックに仮留めされ、当該取付補助装置に載置されたユニットの少なくとも前方側を昇降させるリフト機構を備える。
【０００７】
なお、以上の構成要素の任意の組み合わせや、本発明の構成要素や表現を方法、システムなどの間で相互に置換したものもまた、本発明の態様として有効である。
【発明の効果】
【０００８】
本発明によれば、ラックにユニットを取り付ける際の作業者の負担を低減できる。
【図面の簡単な説明】
【０００９】
【図１】実施の形態に係るラックシステムを示す斜視図である。
【図２】図１の取付補助装置を示す斜視図である。
【図３】図１の取付補助装置を示す斜視透視図である。
【図４】図１の取付補助装置を示す上面透視図である。
【図５】図１の取付補助装置を示す側面透視図である。
【図６（ａ）】取付補助装置を用いてユニットをラックに取り付ける様子を示す図である。
【図６（ｂ）】取付補助装置を用いてユニットをラックに取り付ける様子を示す図である。
【図６（ｃ）】取付補助装置を用いてユニットをラックに取り付ける様子を示す図である。
【図６（ｄ）】取付補助装置を用いてユニットをラックに取り付ける様子を示す図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は、実施の形態に係るラックシステム１００を示す斜視図である。ラックシステム１００は、ラック２と、支持部材８と、取付補助装置１０と、を備える。ラック２は、サーバや通信機器などの電子機器であるユニット９を収容する。取付補助装置１０は、ラック２へのユニット９の取り付けを補助するためにユニット９をラック２の取付け位置に一時的に保持する。支持部材８は、取付補助装置１０をラック２に支持（仮留め）する。
【００１２】
ラック２は、床に敷設される底板３と、底板３からそれぞれ立設する、前面右側の第１支柱７ａ、前面左側の第２支柱７ｂ、後面右側の第３支柱７ｃ、後面左側の第４支柱７ｄ（以下、これらを総称して「支柱７」とも呼ぶ）と、支柱７を挟んで底板３と対向する天板４と、底板３と天板４の間の側面を覆う２枚の側面パネル５と、底板３と天板４の間の後面を覆う背板６と、を含む。
【００１３】
支持部材８は、第１支持部材８ａと、第２支持部材８ｂと、を含む。第１支持部材８ａは、第１支柱７ａと第３支柱７ｃとの間に横架され、第１支柱７ａと第３支柱７ｃとに固定される。第２支持部材８ｂは、第２支柱７ｂと第４支柱７ｄとの間に横架され、第２支柱７ｂと第４支柱７ｄとに固定される。第１支持部材８ａおよび第２支持部材８ｂはそれぞれ、前後方向に延びるレール部（図１では不図示）を有し、このレール部によって取付補助装置１０を支持する。
【００１４】
図２〜５は、図１の取付補助装置１０を示す。図２は、取付補助装置１０を示す斜視図である。図３は、取付補助装置１０を示す斜視透視図である。図４は、取付補助装置１０を示す上面透視図である。図５は、取付補助装置１０を示す側面透視図である。取付補助装置１０は、筐体１２と、支持ユニット２０と、スライドユニット３０と、リフト機構４０と、を含む。筐体１２は、下側が開放された背の低い箱状で、支持ユニット２０とスライドユニット３０とリフト機構４０とを収容する。
【００１５】
支持ユニット２０は、前面右側の第１支持ユニット２１と、前面左側の第２支持ユニット２２と、後面右側の第３支持ユニット２３と、後面左側の第４支持ユニット２４と、を含む。第１支持ユニット２１は、第１支持ローラ２１ａと、ローラ軸２１ｂと、ブラケット２１ｃと、を含む。ブラケット２１ｃは、天板１２ａの下面に固定される。ブラケット２１ｃは、ローラ軸２１ｂが左右方向に延在するようローラ軸２１ｂを支持する。ローラ軸２１ｂは第１支持ローラ２１ａを回転自在に支持する。第１支持ローラ２１ａは、円柱状のローラであり、ローラ軸２１ｂの周りを回転する。第１支持ローラ２１ａは特に、その一部が、筐体１２の天板１２ａの開口１３ａから天板１２ａを超えて上側に突出する。
【００１６】
第２支持ユニット２２は、第２支持ローラ２２ａと、ローラ軸２２ｂと、ブラケット２２ｃと、を含む。
第３支持ユニット２３は、第３支持ローラ２３ａと、ローラ軸２３ｂと、ブラケット２３ｃと、を含む
第４支持ユニット２４は、第４支持ローラ２４ａと、ローラ軸２４ｂと、ブラケット２４ｃと、を含む。
【００１７】
第２支持ローラ２２ａ、第３支持ローラ２３ａ、第４支持ローラ２４ａはそれぞれ、第１支持ローラ２１ａと同様に構成される。第２支持ローラ２２ａ、第３支持ローラ２３ａ、第４支持ローラ２４ａはそれぞれ、天板１２ａの開口１３ｂ、開口１３ｃ、開口１３ｄから天板１２ａを超えて上側に突出する。
ローラ軸２２ｂ、ローラ軸２３ｂ、ローラ軸２４ｂはそれぞれ、ローラ軸２１ｂと同様に構成される。
ブラケット２２ｃ、ブラケット２３ｃ、ブラケット２４ｃはそれぞれ、ブラケット２１ｃと同様に構成される。
【００１８】
ユニット９を支柱７に取り付ける際、作業者は、一旦、ユニット９を取付補助装置１０に載せる。このとき作業者は、天板１２ａを超えて上側に突出した支持ローラ２１ａ〜２４ａの上を滑らせながらユニット９をラック２内に押し込むことができる。
【００１９】
スライドユニット３０は、前面右側の第１スライドユニット３１と、前面左側の第２スライドユニット３２と、後面右側の第３スライドユニット３３と、後面左側の第４スライドユニット３４と、を含む。第１スライドユニット３１は、第１スライドローラ３１ａと、ローラ軸３１ｂと、ブラケット３１ｃと、を含む。ブラケット３１ｃは、天板１２ａの下面に固定される。ブラケット３１ｃは、ローラ軸３１ｂが左右方向に延在するようローラ軸３１ｂを支持する。ローラ軸３１ｂは第１スライドローラ３１ａを回転自在に支持する。第１スライドローラ３１ａは、円柱状のローラであり、ローラ軸３１ｂの周りを回転する。
【００２０】
第２スライドユニット３２は、第２スライドローラ３２ａと、ローラ軸３２ｂと、ブラケット３２ｃと、を含む。
第３スライドユニット３３は、第３スライドローラ３３ａと、ローラ軸３３ｂと、ブラケット３３ｃと、を含む。
第４スライドユニット３４は、第４スライドローラ３４ａと、ローラ軸３４ｂと、ブラケット３４ｃと、を含む。
【００２１】
第２スライドローラ３２ａ、第３スライドローラ３３ａ、第４スライドローラ３４ａはそれぞれ、第１スライドローラ３１ａと同様に構成される。
ローラ軸３２ｂ、ローラ軸３３ｂ、ローラ軸３４ｂはそれぞれ、ローラ軸３１ｂと同様に構成される。
ブラケット３２ｃ、ブラケット３３ｃ、ブラケット３４ｃはそれぞれ、ブラケット３１ｃと同様に構成される。
【００２２】
取付補助装置１０がラック２内に収容されて仮留めされるとき、あるいは取付補助装置１０がラック２から引き出されるとき、第１スライドローラ３１ａおよび第３スライドローラ３３ａが第１支持部材８ａ（図２〜５では不図示）上を走行し、第２スライドローラ３２ａおよび第４スライドローラ３４ａが第２支持部材８ｂ（図２〜５では不図示）上を走行する。これにより、取付補助装置１０を容易にラック２に収容したりラック２から引き出したりできる。
【００２３】
リフト機構４０は、操作部４１と、連結部４２と、支点軸４３と、複数のブラケット４４と、第１リフトユニット４５と、第２リフトユニット４６と、ロック機構４７と、を含む。なお、図４、５ではロック機構４７の表記を省略している。操作部４１は、筐体１２の前板１２ｂから筐体１２外に突出する。連結部４２は、板状の部材で、主面が上下を向いた姿勢で筐体１２内に配置される。連結部４２の前端側には操作部４１が接続されている。連結部４２の右端には第１リフトユニット４５が、左端には第２リフトユニット４６が、それぞれ固定されている。したがって、第１リフトユニット４５および第２リフトユニット４６は、連結部４２を介して操作部４１に連結されている。
【００２４】
第１リフトユニット４５は、第１リフトローラ４５ａと、ローラ軸４５ｂと、ブラケット４５ｃと、を含む。ブラケット４５ｃは、連結部４２に固定される。ブラケット４５ｃは、ローラ軸４５ｂが左右方向に延在するようローラ軸４５ｂを支持する。ローラ軸４５ｂは第１リフトローラ４５ａを支持する。第１リフトローラ４５ａは、円柱状のローラであり、ローラ軸４５ｂの周りを回転する。第１リフトローラ４５ａは、その一部が、筐体１２の天板１２ａの開口１４ａから天板１２ａを超えて上側に突出する。
【００２５】
第２リフトユニット４６は、第２リフトローラ４６ａと、ローラ軸４６ｂと、ブラケット４６ｃと、を含む。第２リフトローラ４６ａ、ローラ軸４６ｂ、ブラケット４６ｃはそれぞれ、第１リフトローラ４５ａ、ローラ軸４５ｂ、ブラケット４５ｃと同様に構成される。第２リフトローラ４６ａは、その一部が、筐体１２の天板１２ａの開口１４ｂから天板１２ａを超えて上側に突出する。
【００２６】
複数のブラケット４４は、天板１２ａの下面に固定される。複数のブラケット４４は、支点軸４３が左右方向に延在するよう支点軸４３を回転可能に支持する。支点軸４３の右端は第１リフトユニット４５のブラケット４５ｃに固定され、左端は第２リフトユニット４６のブラケット４６ｃに固定される。そのため、ブラケット４５ｃおよびブラケット４６ｃと、ブラケット４５ｃおよびブラケット４６ｃに支持されている第１リフトローラ４５ａおよび第２リフトローラ４６ａと、ブラケット４５ｃおよびブラケット４６ｃが固定されている連結部４２は、支点軸４３を中心に回転（揺動）しうる。第１リフトローラ４５ａおよび第２リフトローラ４６ａは支点軸４３に操作部４１とは反対側にある。そのため、操作部４１を下げると、第１リフトローラ４５ａおよび第２リフトローラ４６ａは上昇する。
【００２７】
ロック機構４７は、操作部４１を所望の位置で固定する。ロック機構４７は、実施の形態では、筐体１２の前板１２ｂに固定されたブラケット４７ａに形成された切り欠きにピン４７ｂを係合し、このピン４７ｂにより操作部４１を押さえ付けて操作部４１の位置を保持する。例えば操作部４１を下まで下げたときは、一番下の切り欠きにピン４７ｂを係合し、その位置で操作部４１を保持する。
【００２８】
以上のように構成された取付補助装置１０を用いてユニット９をラック２に取り付ける場合について説明する。
図６（ａ）〜（ｄ）は、取付補助装置１０を用いてユニット９をラック２に取り付ける様子を示す。図６（ａ）に示すように、まず、第１支持部材８ａおよび第２支持部材８ｂを支柱７に固定する。続いて、図６（ａ）に示される第１支持部材８ａのレール部８ｃおよび第２支持部材８ｂのレール部８ｄの上を取付補助装置１０の各スライドローラ３１ａ〜３４ａを走らせ、図６（ｂ）に示すように取付補助装置１０をラック２内に仮留め（収容）する。
【００２９】
続いて、支持ユニット２０の支持ローラ２１ａ〜２４ａの上を滑らせながらユニット９をラック２内に収容し、図６（ｃ）に示すように、取付補助装置１０に載置する。このとき、ユニット９を所定の取付位置まで収納する。「取付位置」とは、ユニット９が収容されるべき位置であり、例えばユニット９側のコネクタ（不図示）とラック２側のコネクタとが接続されるときのユニット９の位置をいう。図６（ｃ）に示すように、リフトローラ４５ａ、４６ａは、収納位置にあるユニット９の重心Ｇよりも前方に位置する。リフトローラ４５ａ、４６ａは、本実施の形態では、第１支柱７ａ、第２支柱７ｂの近傍に配置される。例えば、リフトローラ４５ａ、４６ａは、それらの少なくとも一部が、左右方向において第１支柱７ａ、第２支柱７ｂに対向する位置に設けられてもよい。
【００３０】
続いて、図６（ｄ）に示すように操作部４１を下に押し下げると、リフトローラ４５ａ、４６ａはユニット９の下面に当接状態で上昇する。上述のようにリフトローラ４５ａ、４６ａはユニット９の重心Ｇよりも前方に位置するため、リフトローラ４５ａ、４６ａが上昇すると、ユニット９の前方側が持ち上がる。作業者は、支柱７のネジ穴（不図示）とユニット９の挿通穴（不図示）とが合う位置までリフトローラ４５ａ、４６ａひいてはユニット９を上昇させればよい。作業者は、この状態で操作部４１をロック機構４７（図６（ａ）〜（ｄ）では不図示）によりロックする。そして、ユニット９を支柱７にネジ留めする。また、必要に応じて、取付補助装置１０を引き出し、支持部材８を取り外す。
【００３１】
ユニット９を取り外すときは、逆の手順で行う。支持部材８をラック２から取り外し、取付補助装置１０をラック２から引き出していた場合は、支持部材８を支柱７に固定し、取付補助装置１０をラック２内に仮留めする。特に、取り外すユニット９の直下に支持部材８を固定し、取付補助装置１０を仮留めする。そして、図６（ｄ）に示すように、操作部４１を下に押し下げてリフトローラ４５ａ、４６ａを上昇させ、リフトローラ４５ａ、４６ａをユニット９の下面に当接させる。この状態でロック機構４７により操作部４１をロックし、ユニット９を支柱７に固定していたネジを外す。
【００３２】
続いて、操作部４１を押えながらロック機構４７のロックを外し、ゆっくりとリフトローラ４５ａ、４６ａを下降させ、図６（ｃ）に示すようにユニット９を取付補助装置１０に載置させる。続いて、図６（ｂ）に示すように、ユニット９をラック２から取り出す。必要に応じて、図６（ａ）に示すように取付補助装置１０をラック２から引き出し、また支持部材８を支柱７から取り外す。
【００３３】
以上説明した実施の形態に係る取付補助装置１０によると、操作部４１に対する操作によってユニット９が持ち上がり、ユニット９の挿通穴と支柱７のネジ穴との位置を合わせることができる。したがって、作業者がユニット９を直接手で持ち上げる場合に比べて、容易に挿通穴とネジ穴との位置あわせを実施できる。
【００３４】
また、実施の形態に係る取付補助装置１０によると、リフトローラ４５ａ、４６ａによってユニット９の前方側が持ち上がる。すなわちユニット９は傾いた状態で持ち上がる。そのため、持ち上がる際に、ユニット９とユニット９の下面に接触して持ち上げる部分とが摺動して、ユニット９が傷付くおそれがある。これに対して、実施の形態では、上述のようにリフトローラ４５ａ、４６ａによってユニット９の前方側が持ち上げあげられるため、ユニット９とリフト部（ローラ）とが摺動して傷付くのが抑止される。
【００３５】
また、実施の形態に係る取付補助装置１０によると、操作部４１に対する操作によって第１リフトユニット４５と第２リフトユニット４６がユニット９の左右両端を支持してユニット９を持ち上げる。つまり、１つの操作部４１に対する操作によってユニット９の左右両端を支持してユニット９を持ち上げる。また、ロック機構４７によって操作部４１を所定の位置に保持できる。したがって、作業者ひとりでユニット９をラック２に取り付けることができる。
【００３６】
また、実施の形態に係る取付補助装置１０は、スライドユニット３０を備える。そのため、ユニット９の取付け後に、ラック２から取付補助装置１０を容易に引き出すことができ、取付補助装置１０が占有していた領域を他のユニット９を収容するのに利用できる。
【００３７】
また、実施の形態に係る取付補助装置１０によると、取付補助装置１０がラック２に仮留めされたとき、リフトローラ４５ａ、４６ａはそれぞれ、第１支柱７ａ、第２支柱７ｂの近傍に位置する。つまり、第１支柱７ａ、第２支柱７ｂに近い位置でユニット９を持ち上げてユニット９の挿通穴と第１支柱７ａ、第２支柱７ｂのネジ穴との位置を合わせることができる。この場合、第１支柱７ａ、第２支柱７ｂから遠い位置でユニット９を持ち上げる場合に比べ、位置合わせの微調整がしやすくなる。
【００３８】
以上、実施の形態に係る取付補助装置の構成と動作について説明した。この実施の形態は例示であり、それらの各構成要素の組み合わせにいろいろな変形例が可能なこと、またそうした変形例も本発明の範囲にあることは当業者に理解されるところである。また、実施の形態同士の組み合わせも可能である。以下、変形例を示す。
【００３９】
（変形例１）
実施の形態では、リフトローラ４５ａ、４６ａを上昇させてユニット９の前方を持ち上げることによって支柱７のネジ穴とユニット９の挿通穴との位置を合わせる場合について説明したが、これに限られない。リフトローラ４５ａ、４６ａを下降させてユニット９の前方を持ち下げることによって支柱７のネジ穴とユニット９の挿通穴との位置を合わせてもよい。この場合、図６（ｄ）に示すように、操作部４１が押し下げられてリフトローラ４５ａ、４６ａが上昇している状態から、リフトローラ４５ａ、４６ａを下降させてユニット９の前方を持ち下げることによって支柱７のネジ穴とユニット９の挿通穴との位置を合わせる。
【００４０】
また例えば、支柱７のネジ穴とユニット９の挿通穴との位置関係に応じて、ユニット９の前方を持ち上げて調整するか、ユニット９の前方を持ち下げて調整するか決定してもよい。この場合、例えば、操作部４１を中間まで押し下げた位置でロック機構４７によりロックしておき、必要に応じて操作部４１をさらに押し下げたりまたは押し上げればよい。
【００４１】
（変形例２）
実施の形態では、スライドユニット３０は、ローラによって構成される場合について説明したが、これに限られない。スライドユニット３０は、スライド移動によって取付補助装置１０をラック２内に押し込んだり取付補助装置１０をラック２から引き出せたりできるよう構成されていればよい。例えば第１支持部材８ａのレール部８ｃと第２支持部材８ｂのレール部８ｄにテフロン（登録商標）シートなどの低摩擦部材を貼り付け、スライドユニット３０の所定の部材にも低摩擦部材を貼り付け、これら低摩擦部材同士を摺動させることによって取付補助装置１０をスライド移動させてもよい。
【００４２】
（変形例３）
実施の形態では、ユニット９の前方側を昇降させる場合について説明したが、これに限られない。例えばユニット９の全体を昇降させることによって支柱７のネジ穴とユニット９の挿通穴との位置を合わせてもよい。
【００４３】
（変形例４）
実施の形態では、第１リフトユニット４５、第２リフトユニット４６はそれぞれ、円柱状の第１リフトローラ４５ａ、第２リフトローラ４６ａを含む場合について説明したが、これに限られない。例えば、第１リフトユニット４５、第２リフトユニット４６は、第１リフトローラ４５ａ、第２リフトローラ４６ａの代わりにボール状のローラをそれぞれ含んでもよい。
【００４４】
請求項に記載の各構成要件が果たすべき機能は、実施の形態および変形例において示された各構成要素の単体もしくはそれらの連携によって実現されることも当業者には理解されるところである。
【符号の説明】
【００４５】
２  ラック、  ７  支柱、  ９  ユニット、  １０  取付補助装置、  ２０  支持ユニット、  ４０  リフト機構、  ４１  操作部、  ４２  連結部、  ４５  第１リフトユニット、  ４６  第２リフトユニット。
【図１】
2016174127.tif 000003
【図２】
2016174127.tif 000004
【図３】
2016174127.tif 000005
【図４】
2016174127.tif 000006
【図５】
2016174127.tif 000007
【図６（ａ）】
2016174127.tif 000008
【図６（ｂ）】
2016174127.tif 000009
【図６（ｃ）】
2016174127.tif 000010
【図６（ｄ）】
2016174127.tif 000011